(57)【要約】【課題】操作ボタンの誤作動を防止する技術を提供する。【解決手段】ボタンユニット５０は、上下に長手方向となる例えば樹脂成形品であって、ボタン基部５２、ボタン梁部５４、ボタン本体５６及び突起部６０を備えて形成されている。ボタン基部５２の右前側の角に設けられたボタン梁部５４が片持ち梁状に後方に所定長延出して形成されている。ボタン梁部５４の自由端側には、ボタン本体５６が右側に向けて形成されている。また、二つのボタン本体５６の間に、ボタン梁部５４が形成される位置から突起部６０がボタン本体５６の突出方向に向かって、所定長でリブ状に形成されている。ボタン本体５６は、ボタン梁部５４のように撓むことない。ボタンユニット５０が表示部本体３０の内部に設置された状態で、突起部６０の先端部分が表示部本体３０の側面３２のキャビネット内面部分に当接する。【選択図】図２
2013222576.tif 000002
【特許請求の範囲】
【請求項１】
片持ち梁の自由端側に設けられ、キャビネットに設けられた開口から操作可能に突き出るボタン本体と、
前記片持ち梁の固定端側に設けられ、前記キャビネットの前記開口近傍の内面側に向かって突出して設けられる突出部と
を備えることを特徴とするボタンユニット。
【請求項２】
前記片持ち梁は、前記自由端側において、前記ボタン本体が設けられた領域と反対側に、基板上の被押圧部品を押圧する押圧部を備え、
前記ボタン本体が操作され前記片持ち梁が撓んで前記押圧部が前記被押圧部品に作用する
ことを特徴とする請求項１に記載のボタンユニット。
【請求項３】
前記突出部は、前記ボタン本体にユーザが操作していない状態で前記キャビネットの内面に当接していることを特徴とする請求項１または２に記載のボタンユニット。
【請求項４】
請求項１〜３までのいずれかに記載のボタンユニットを、表示部本体のキャビネットの上下面又は側面に備えることを特徴とする薄型表示装置。
【発明の詳細な説明】
【技術分野】
【０００１】
本発明は、ボタンユニット及び薄型表示装置に関する。
【背景技術】
【０００２】
一般的に、液晶テレビ等の薄型表示装置を移動させる時（例えば、設置場所を変える場合やスイベル操作を行う場合等）や清掃時に、操作ボタン周辺を掴んだり押したりすることがある。このとき、操作ボタン周辺のキャビネットが変形してしまい、ユーザが意図していない誤動作を起こすことがある。
【０００３】
そのような変形等を防止する技術として各種のものが提案されている。例えば、キャビネットに操作ボタンを取り付けた電気機器において、フロント部のボタン穴には押しボタンが嵌って突出する構造を持ち、一方、操作ボタンの支持部とキャビネットフロント部との間には隙間を残し、さらにキャビネット底部に取り付けられた基板の先端部を基板支持部に載せて支えたことを特徴とする電気機器がある（例えば特許文献１参照）。この技術では、キャビネットとボタン支持部の間にすき間を残すことで、すき間の範囲内でフロント部やボタンが傾斜した場合であっても同じ様に操作ボタンを取付け可能としている。
【先行技術文献】
【特許文献】
【０００４】
【特許文献１】特開２００５−２４３３９９号公報
【発明の概要】
【発明が解決しようとする課題】
【０００５】
ところで、特許文献１に開示の技術では、フロント部（キャビネット）がすき間の範囲内でたわむことを想定している。しかし、近年の薄型表示装置、特に液晶テレビを代表とする薄型テレビでは、キャビネットの薄肉化に伴い、キャビネットのたわみは従来よりも大きくなっている。したがって、キャビネットに外力が加わるとすき間の範囲以上のたわみが生じ、ボタン支持部を直接押してしまう。このため、ボタンを直接押してしまいボタン誤作動につながってしまうという課題があった。
【０００６】
ここで図５に従来より用いられているボタンユニット１５０が表示部本体１３０のキャビネット側面１３２部分に配置された内部構造の状態を模式的に示す。図５（ａ）に示すように、キャビネット側面１３２に設けられたボタン本体１５６が外部に操作可能に突出している。ボタン本体１５６は、ボタン基部１５２より片持ち梁状に延出して形成されたボタン梁部１５４に設けられている。そして、図５（ｂ）のように、ボタン本体１５６が操作されると、ボタン本体１５６と反対側に設けられた内部押圧部１５８が、ボタン基板１９０の基板ボタン１９２を押圧する。ところが、図５（ｃ）に示すように、ボタン本体１５６が突出する近傍付近が押された場合でも、その部分が大きく撓みボタン梁部１５４を押してしまい、誤動作が発生してしまうことがあった。
【０００７】
本発明は以上のような状況に鑑みなされたものであって、上記課題を解決する技術を提供することを目的とする。
【課題を解決するための手段】
【０００８】
本発明のボタンユニットは、片持ち梁の自由端側に設けられ、キャビネットに設けられた開口から操作可能に突き出るボタン本体と、前記片持ち梁の固定端側に設けられ、前記キャビネットの前記開口近傍の内面側に向かって突出して設けられる突出部とを備える。
また、前記片持ち梁は、前記自由端側において、前記ボタン本体が設けられた領域と反対側に、基板上の被押圧部品を押圧する押圧部を備え、前記ボタン本体が操作され前記片持ち梁が撓んで前記押圧部が前記被押圧部品に作用してもよい。
また、前記突出部は、前記ボタン本体にユーザが操作していない状態で前記キャビネットの内面に当接してもよい。
本発明の薄型表示装置は、上記のボタンユニットを、表示部本体のキャビネットの上下面又は側面に備える。
【発明の効果】
【０００９】
本発明によれば、操作ボタンの誤作動を防止する技術を提供することができる。
【図面の簡単な説明】
【００１０】
【図１】実施形態に係る、液晶テレビの外観を示す図である。
【図２】実施形態に係る、ボタンユニットを示す斜視図である。
【図３】実施形態に係る、ボタンユニットを示す正面図、側面図、底面図、及び平面図である。
【図４】実施形態に係る、ボタンユニットが操作された状態を模式的に示す図である。
【図５】従来技術に係る、ボタンユニットがキャビネット側面部分に配置された内部構造の状態を模式的に示す図である。
【発明を実施するための形態】
【００１１】
次に、本発明を実施するための形態（以下、単に「実施形態」という）を、図面を参照して具体的に説明する。
【００１２】
図１は、本実施形態に係る液晶テレビ１０の外観を示す図であり、図１（ａ）が正面図、図1（ｂ）が側面図、図１（ｃ）が平面図（上面から見た図）である。図示のように、液晶テレビ１０は、スタンド２０に表示部本体３０が取り付けられた構造となっている。さらに、液晶テレビ１０は、図１（ｂ）及び図１（ｃ）の領域Ｘに示すように、表示部本体３０のキャビネット（筐体）３１の側面３２にボタンユニット５０が設けられている。ここでは、ボタンユニット５０のボタン本体５６（図２参照）が７つ操作可能に設けられている。
【００１３】
図２はボタンユニット５０の斜視図であり、図２（ｂ）は図２（ａ）の一部の領域Ｙを拡大して示した図である。また、図３（ａ）はボタンユニット５０の正面図、図３（ｂ）は側面図、図３（ｃ）は底面図、図３（ｄ）は平面図である。なお図中の前後・上下・左右の表記は、液晶テレビ１０の前後・上下・左右と一致させて示している。さらに、図４は、ボタンユニット５０の構造を上面からみた状態で模式的に示している。
【００１４】
図示のように、ボタンユニット５０は、上下方向が長手方向となる例えば樹脂成形品であって、ボタン基部５２、ボタン梁部５４、ボタン本体５６及び突起部６０を備えて形成されている。
【００１５】
具体的には、ボタン基部５２の左後の角に設けられたボタン梁部５４が片持ち梁状に前方に所定長延出して形成されている。つまり、ボタン基部５２の左後側の角が固定端であり前方側が自由端となっている。そして、ボタン梁部５４の自由端側には、ボタン本体５６が左側に向けて形成されている。また、ボタン本体５６の右側つまり、ボタンユニット５０の内部側には、ボタン基板９０が配置可能に空間が形成されている。図４に示すように、ボタン基板９０には基板ボタン９２がボタン本体５６の操作によって押圧され所定の操作を検知可能になっている。
【００１６】
ここでは、ボタン本体５６は、二つのボタン梁部５４を１組として上下の２カ所で支持されるように形成されている。そして、ボタン本体５６は、ボタンユニット５０が表示部本体３０の内部に配置されたときに、先端部分がボタン開口部３４から所定長だけ突出して、ユーザが操作可能になっている。
【００１７】
また、ボタン本体５６の操作される側と反対側（ボタンユニット５０の内部側）の端部中央には、内部押圧部５８が所定長で内側に向かって突出して形成されている。この内部押圧部５８が、ボタン本体５６への操作に伴って基板ボタン９２を押圧する。つまり、ボタン本体５６が操作されると、ボタン梁部５４が左方向つまりボタンユニット５０の内部方向に撓み、先端の内部押圧部５８が右側（内部側）に移動し、基板ボタン９２を押圧する。なお、ボタン梁部５４の数や内部押圧部５８の位置は適宜設定可能である。
【００１８】
さらに、本実施形態において特徴的な構造の一つとして、ボタンユニット５０への誤操作防止の機能を実現するために、突起部６０が設けられている。
【００１９】
具体的には、二つのボタン本体５６の間に、ボタン梁部５４が形成される位置から突起部６０がボタン本体５６の突出方向に向かって、つまり図示の左側に向かって所定長でリブ状に形成されている。ここでは、計６個の突起部６０が、いわゆる当てリブとして形成されている。また、突起部６０は、ボタン梁部５４の根元部分の間の位置に形成されているが、間ではなくボタン梁部５４の根元部分に形成されてもよい。
【００２０】
突起部６０は、ボタン梁部５４とは異なり、ボタン基部５２に対してリジットに固定された状態となっている。つまり、ボタン本体５６は、ボタン梁部５４のように撓むことなく、ボタン基部５２と一体に形成されている。そして、ボタンユニット５０が表示部本体３０の内部に設置された状態で、突起部６０の先端部分が表示部本体３０の側面３２のキャビネット内面部分に当接する。
【００２１】
なお、突起部６０とキャビネット内面部分との離間距離が極小の場合、実質当接しているものとする。また、突起部６０の設置位置は、ボタン基部５２等の構造との関係で、突起部６０に力が作用しても撓む等の変形が実質的に起きない位置に設けられる。
【００２２】
したがって、図４（ｂ）に示すように、液晶テレビ１０の内部に設けたボタンユニット５０のヒンジ部分（ボタン梁部５４）に、領域Ｚで示す部分から外力が加わっても、突起部６０があるので、ボタン本体５６近傍のキャビネット３１が変形しても、キャビネット３１はボタン梁部５４まで届かない。言い換えると、ボタン梁部５４を基板ボタン９２の方へ撓ませる力は作用しない。その結果、基板ボタン９２がキャビネット３１への作用によって押圧されることがなく、誤動作が防止できる。
【００２３】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。例えば、ボタンユニット５０は、側面３２に設けられたが、他の面に設けられてもよい。
【符号の説明】
【００２４】
１０  液晶テレビ（薄型表示装置）
２０  スタンド
３０  表示部本体
３１  キャビネット（筐体）
３２  側面
３４  ボタン開口部
５０  ボタンユニット
５２  ボタン基部
５４  ボタン梁部
５６  ボタン本体
５８  内部押圧部
６０  突起部
９０  ボタン基板
９２  基板ボタン（被押圧部）
【図１】
2013222576.tif 000003
【図２】
2013222576.tif 000004
【図３】
2013222576.tif 000005
【図４】
2013222576.tif 000006
【図５】
2013222576.tif 000007